(57)【要約】本発明によるＯＴＤＬデバイスは、光学信号の波長を空間的に分解する、つまりチャネル化または分離するための方法と装置である。この装置は、タップ付き光学遅延線に基づく。
2004502969.tif 000002
【特許請求の範囲】
【請求項１】
少なくともひとつの平行入力光線を処理し、複数の時間遅延出力光線を生成するプロセッサを備える装置であって、
該入力光線は少なくともひとつの周波数を有し、該複数の時間遅延出力光線は該入力光線の少なくともひとつの周波数の関数として相互に位相シフトされ、空間的に分散し、該少なくともひとつの入力光線は、成分周波数にチャネル化されることを特徴とする装置。
【請求項２】
請求項１に記載の装置であって、該プロセッサは、
第一の反射表面と、
第二の反射表面を備え、該第二の反射表面の反射率は１００％より小さく、該第一の反射表面と第二の反射表面は間隔を空けて設置された関係にあり、少なくとも該第二の表面に向かって方向付けられる光線の少なくとも一部は、該第一と第二の表面の間で複数回反射され、これによって該第二の表面から複数の時間遅延出力光線を発生させることを特徴とする装置。
【請求項３】
請求項２に記載の装置であって、
該第二の表面から出る複数の時間遅延出力光線に作用し、該少なくともひとつの入力光線を成分周波数にチャネル化する光学システム
を備えることを特徴とする装置。
【請求項４】
複数の平行入力光線を処理し、複数の時間遅延出力光線を生成するためのプロセッサを備える装置であって、
該入力光線は少なくともひとつの周波数であり、該出力光線は対応する入力光線の該少なくともひとつの周波数の関数として相互に位相シフトし、空間的に分散され、該複数の入力光線は成分周波数に同時にチャネル化されることを特徴とする装置。
【請求項５】
請求項４に記載の装置であって、該プロセッサは、
第一の反射表面と、
第二の反射表面を備え、該第二の反射表面の反射率は１００％より小さく、該第一の反射表面と該第二の反射表面は間隔を空けて設置された関係にあり、該第二の表面に向けられた光線の少なくとも一部は、該第一と第二の表面の間で複数回反射され、該第二の表面から複数の時間遅延出力光線を発生させることを特徴とする装置。
【請求項６】
請求項５に記載の装置であって、
前記第二の表面から出る該複数の時間遅延出力光線に作用し、少なくともひとつの対応する入力光線を成分周波数にチャネル化する光学システム
を備えることを特徴とする装置。
【請求項７】
少なくともひとつの平行入力光線を提供するステップと、該少なくともひとつの入力光線は少なくともひとつの周波数を有し、
前記少なくともひとつの入力光線を処理するステップを含み、該入力光線の該少なくともひとつの周波数の関数として相互に位相シフトされ、空間的に分散された複数の時間遅延出力光線を生成し、該少なくともひとつの入力光線が成分周波数にチャネル化されるようにすることを特徴とする方法。
【請求項８】
請求項７に記載の方法であって、該処理ステップは、
第一の反射表面を提供するステップと、
第二の反射表面を提供するステップと、該第二の反射表面の反射率は１００％より小さく、
該第一の反射表面と該第二の反射表面を、該第二の表面に向かう光線の少なくとも一部が該第一と第二の表面の間で複数回反射され、該第二の表面から複数の時間遅延出力光線が発生されるように位置付けるステップと、
を含むことを特徴とする方法。
【請求項９】
請求項８に記載の方法であって、
該第二の表面を出る該複数の時間遅延出力光線に作用し、該少なくともひとつの入力光線を成分周波数にチャネル化するステップ
を含むことを特徴とする方法。
【請求項１０】
複数の平行入力光線を提供するステップと、該入力光線の各々は少なくともひとつの周波数であり、
該複数の入力光線を処理し、複数の時間遅延出力光線を生成するステップを含み、該出力光線は対応する入力光線の該少なくともひとつの周波数の関数として相互に位相シフトされ、空間的に分散され、該複数の入力光線は成分周波数に同時にチャネル化されることを特徴とする方法。
【請求項１１】
請求項１０に記載の方法であって、該処理ステップは、
第一の反射表面を提供するステップと、
第二の反射表面を提供するステップと、該第二の反射表面の反射率は１００％より小さく、
該第一の反射表面と該第二の反射表面を、該第二の表面に向かう光線の少なくとも一部が、該第一と第二の表面の間で複数回反射され、該第二の表面から複数の時間遅延出力光線を発生させるように位置付けるステップと、
を含むことを特徴とする方法。
【請求項１２】
請求項１１に記載の方法であって、
該第二の表面を出る該複数の時間遅延出力光線に作用し、少なくともひとつの対応する入力光線を成分周波数にチャネル化するステップ
を含むことを特徴とする方法。
【請求項１３】
請求項３に記載の装置であって、該光学システムは、
該第二の表面を出る該少なくとも複数の時間遅延出力光線を第一の次元にフーリエ変換し、該第二の表面を出る複数の時間遅延出力光線を第二の次元で出力表面上に結像させるアナモルフィック光学システム
を備えることを特徴とする方法。
【請求項１４】
請求項６に記載の装置であって、該光学システムは、
該第二の表面を出る該少なくとも複数の時間遅延出力光線を第一の次元にフーリエ変換し、該第二の表面を出る複数の時間遅延出力光線を第二の次元で出力表面上に結像させるアナモルフィック光学システム
を備えることを特徴とする方法。
【請求項１５】
請求項９に記載の方法であって、
該第二の表面を出る該少なくとも複数の時間遅延出力光線を第一の次元にフーリエ変換し、該第二の表面を出る複数の時間遅延出力光線を第二の次元で出力表面上に結像させるステップ
を含むことを特徴とする方法。
【請求項１６】
請求項１２に記載の方法であって、
該第二の表面を出る該少なくとも複数の時間遅延出力光線を第一の次元にフーリエ変換し、該第二の表面を出る複数の時間遅延出力光線を第二の次元で出力表面上に結像させるステップ
を含むことを特徴とする方法。
【請求項１７】
少なくともひとつの平行入力光線を処理し、複数の時間遅延出力光線を生成する光学プロセッサであって、
該入力光線は少なくともひとつの周波数であり、該複数の時間遅延出力光線は、該入力光線の該少なくともひとつの周波数の関数として相互に位相シフトされ、空間的に分散され、該入力光線は１０ＧＨｚより粗くない分解能で成分周波数にチャネル化され、光学スループット効率は４０％より低くないことを特徴とする光学プロセッサ。
【請求項１８】
少なくともひとつの平行入力光線を処理し、相互に位相シフトされ、空間的に分散された複数の時間遅延出力光線を生成する光学プロセッサであって、
該入力光線は１０ＧＨｚより粗くない分解能で成分周波数にチャネル化され、光学スループット効率は４０％より低くないことを特徴とする光学プロセッサ。
【請求項１９】
少なくともひとつの平行入力光線を処理し、複数の時間遅延出力光線を生成する光学プロセッサであって、
該入力光線は１０ＧＨｚより粗くない分解能で成分周波数にチャネル化され、光学スループット効率は４０％より低くないことを特徴とする光学プロセッサ。
【発明の詳細な説明】
【０００１】
（技術分野）
本発明は、波長分割多重方式（ＷＤＭ）を利用した通信データ伝送の方法と装置に関する。より詳しくは、本発明は従来の高密度波長分割多重方式（ＤＷＤＭ）の各チャネルを多数のサブチャネルにサブチャネル化することにより、ハイパーファイン波長分割多重方式（ＨＷＤＭ）を可能にするための方法と装置に関する。
【０００２】
（背景技術）
光ファイバケーブルは、データ伝送およびその他の電気通信に広く使用されている。しかしながら、新たな光ファイバケーブルを敷設するコストが比較的高いことが伝送容量の増加の障害となっている。
【０００３】
波長分割多重方式（ＷＤＭ）により、１本の共通の光ファイバ導波管で異なる波長を伝えることが可能となる。ＷＤＭは、高密度波長分割多重方式（ＤＷＤＭ）と呼ばれる技術により、ファイバ帯域を多数の独立したチャネルに分割することができる。これにより、比較的安いコストで、既存の光ファイバ伝送線上での長距離電気通信容量が実質的に増大する。
【０００４】
しかし、異なる伝送波長を多重化するための技術とデバイスが必要となる。つまり、個々の光信号を共通の光ファイバ導波管にまとめ、その後、光ファイバケーブルの反対側で再び個々の信号またはチャネルに分割しなければならない。しだって、幅広いスペクトル源からの個々の波長（つまり波長帯域）を有効にまとめ、その後分割する能力が、光ファイバ電気通信分野や光学機器を使用するその他の分野にとって、ますますその重要性を増している。
【０００５】
１本のファイバの中で緊密に間隔を空けて並ぶ複数の伝送波長を組み合わせる装置は、マルチプレクサと呼ばれる。ファイバの受信側の端部で伝送波長を分離する装置は、デマルチプレクサまたはチャネライザと呼ばれる。次のような周知のテクノロジーをＷＤＭチャネライザとして使用することができる。
【０００６】
ファブリペロー干渉計
ファブリペロー干渉計は、光をその成分周波数、つまりその成分波長に分解する周知の装置である。図１は、従来のファブリペロー干渉計の一例を示す。図の装置は２個のミラーＭ１とＭ２を備える。２個のミラーＭ１，Ｍ２は部分反射鏡である。ミラーＭ１，Ｍ２は空間によって分離されている。あるいは、フ０ァブリペロー干渉計は、透明なプレートの両側を部分反射する材料でコーティングして作ることもできる。
【０００７】
スペクトル的に広帯域の光源から出る光が平面Ｓ１に入力される。角θ、波長λの光線が、ミラーＭ１，Ｍ２の間で何度も反射される。光線は出力平面Ｓ２の円形軌跡Ｐ２に沿って増幅的に干渉する。特定の角度θと特定の波長λに関係する増幅的干渉条件は、次式で得られる。
２ｄｃｏｓθ＝ｍλ
ただし、ｄは部分反射面の隔離距離、ｍは秩序変数と呼ばれる整数である。ファブリペロー干渉計は、複数の光線反射と干渉を使って、入力光の成分周波数を分離する。上記の等式から、システムの出力光パターン、つまり干渉フリンジは、発散入力光の場合、同心円の輪の集合であることがわかる。各整数ｍについて、入力光の波長成分ごとにひとつの輪が存在し、各輪の直径は対応する光の周波数に比例する。
【０００８】
ファブリペロー干渉計は、高い光学的スループット効率を得にくいため、ＷＤＭチャネライザとしての使用にはあまり適していない。入力光線が発散光、たとえば光ファイバの直接出力であると、ある波長の出力パターンは輪の集合となる。波長が異なることで、同心円の輪の集合ができる。この光を効率的に集め、複数の検出点に集中させること、あるいはこれを結合させて複数の出力ファイバに入れることは、特に干渉計が作った波長成分の分離を保ちながらでは困難である。入力光が平行、たとえば光ファイバからの平行ビームであると、光線は狭い範囲の角度の扇形にし、関係する各波長についてシングルオーダーの出力（たとえばｍ＝＋１）とすることができる。このような扇形化により、出力光を複数の検出点、つまりファイバに集中させることは容易となるが、どうしても高い損失が伴う。スループット効率は１／Ｎ（ただし、Ｎは分離すべき波長成分の数）を超えられない。
【０００９】
ルムマーゲルケ干渉計
図２は、ルムマーゲルケ干渉計の例を示す。図の干渉計はコーティングされていないガラスプレートと、光線をプレートの中に結合させるプリズムを備える。内部では、プレートは臨界角に近づく内部入射角で反射率が高い。内部入射角によって表面の反射性が左右される。図のルムマーゲルケ干渉計の出力は複数の反射光であり、この反射光は光線ごとに周波数依存位相シフトを有し、レンズによって出力平面で合焦される。発散性の入射光と特定の波長λの場合に出力平面で形成される干渉フリンジは、出力平面の中心付近の双曲線の集合となる。入力光の各波長成分によって、固有の双曲線フリンジ集合ができる。
【００１０】
ルムマーゲルケ干渉計は、コーティングされていないガラスプレートに基づく。しかし、表面コーティングがないということは、フリンジ強度のプロフィールを調整することができないことを意味する。このため、ルムマーゲルケ干渉計は、フリンジのプロフィールがチャネルフィルタの形状を決定するＷＤＭへの使用が不可能である。
【００１１】
ルムマーゲルケ干渉計はまた、高い光学的スループット効率を得ることが難しいため、ＷＤＭチャネライザとしての使用にも適していない。入力光が発散光、たとえば光ファイバの直接出力であると、ある波長に関する出力パターンは双曲線の集合となる。波長が異なることで、入れ子式の双曲線が得られる。この光を効率的に集め、複数の検出点に集中させること、あるいはこれを結合させて複数の出力ファイバに入れることは、特に干渉計によって実現した波長成分の分離を保ちながらでは困難である。入力光が平行、たとえば光ファイバからの平行ビームであると、ある波長に関する出力パターンは複数の干渉オーダーに対応する集束スポットの集合となる。この場合も、この光を効率的に集めることは困難であることに加え、通常、損失が伴う。スループット効率は１／Ｎ（ただし、Ｎは分離すべき波長成分の数）を超えない。
【００１２】
バーチャリー・イメージド・フェーズド・アレイ
図３は、バーチャリー・イメージド・フェーズド・アレイ（一般にＶＩＰＡと呼ばれる）の例を示す。図３のＶＩＰＡは、第一の面に全反射コーティング１２と反対面に部分反射コーティング１４を有する長方形のガラスプレート１０を備える。光は、プレート１０の反射コーティング１２の下に、シリンダーレンズ１８によって生成された集束線状光源１６の形で入る。
【００１３】
図４は、ＶＩＰＡの動作側面図である。入力光線２０，２２は、線状焦点の入力光線の境界線をなす。レンズ１８はポイント２４で入力光線を集束し、その後、光線は分散しながら伝播する。集束入力光線２０，２２は、コーティング１４によって部分反射された後、コーティング１２で全反射される。この反射により、ポイント２４の虚像が位置２６にできる。反射プロセスが繰り返され、２８，３０の位置に後退した虚像ができる。このプロセスにより、ガラスプレートの入射側から後退し（つまり、図３の素子１０の左側に移動）、ｙの方向に分散する線状光源の虚像ができる。
【００１４】
図５は、ガラスプレートの出射面における発散光線の光分布を示す。３２，３４，３６の参照番号を付けた円は、コーティング面１４の関連部分に読者の注意を引くためのものである。円はプレートから出る光線の大きさを示す。線状集束入力光はポイント２４に示されており、伝播によって発散し、２回反射された光が円３２に、さらに発散して４回反射された光が円３４に、さらになお発散し、６回反射された光が円３６にそれぞれ描かれている。図５の例において、６回以上反射された後、発散光線は重なり合い、混ざり合って干渉パターンとなる。
【００１５】
図５に見られるように、ＶＩＰＡプレート１０の表面１４から出る連続光線３２，３４，３６は、それぞれ図４の光線像２６，２８，３０から出ているように見える。これらの像からの光は、光がガラスプレート１０の中を伝播しながら発散する。各像からの光の一部は、部分反射コーティング１４を通じてプレートから出る。残りの光線が相互に干渉しあう。干渉パターンは、レンズ３８によって集められ、検出器アレイ４０に合焦する（図３）。
【００１６】
図に示すＶＩＰＡにおいて、光線は部分反射面１４で発散し、重なり合う。この重複効果により、個々の仮想光源の重みづけが面積平均という意味でしかできなくなり、チャネルフィルタの形状を調整できる範囲が限られる。
【００１７】
ＶＩＰＡには線状焦点入力が必要となる。線状焦点入力は、ＶＩＰＡが間隔の粗いチャネル化について（つまり、１００ＧＨｚのオーダーの広いチャネル間隔）比較的小型のデバイスを提供できることを意味する。しかしながら、線状焦点入力により、より厚いプレートが必要となり、その結果、出射面での光線発散と重複が非常に大きくなるため、ＶＩＰＡを微細なチャネル化（１ＧＨＺのオーダーでの狭いチャネル間隔）には使用できないものとなっている。
【００１８】
干渉フィルタ−薄膜コーティング
薄膜干渉フィルタは、入力光線の各波長成分を分離するため、異なるコーティングデザインを必要とする。薄膜コーティングで作られる干渉フィルタは、パスバンドが比較的広くなりがちであるため、高い分解能（２５ＧＨｚ以上）を得られない。この制約により、干渉フィルタを今後発展する可能性のあるハイパーファイン波長分割多重（ＨＷＤＭ）チャネライザとして使用することができない。
【００１９】
古典的な回折格子
ＷＤＭチャネル化に用いられているような古典的な回折格子の場合、単結晶シリカの中に埋め込まれた格子が分散素子である。入力光ファイバは直接このブロックに固定できる。格子は１ミリメートルあたり数十から数千の溝を有する。溝は、たとえば、ダイヤモンドツールによるエッチングまたはホログラフィによる露光によって形成される。格子は入射光を、光の波長、溝の間隔、入射角によって決定される方向に回折させる。その結果、複数の波長成分を有する入射光線は、角度をもって異なる方向に分離される。反対に、異なる方向からの波長の異なる複数の光線を同一の出力方向に結合する（多重化する）という逆の動作モードも可能である。
【００２０】
合理的な大きさの回折格子では、その分解能はＨＷＤＭにとって不十分である。たとえば、１ＧＨｚのチャネル間隔の場合、格子は十分なチャネルフィルタの形状とするには、１２インチ（３０４．８ｍｍ）より十分に長いものでなければならない。また、これは光挿入損失が高いため、高分解能ＷＤＭシステムで使用するには効率的でない。
【００２１】
回折格子は、不要な偏光効果を生む傾向がある。回折効率は、入射光線の偏向に依存する。所与の波長について、溝の間隔が小さくなるとこの効果は増大する。一般に、この効果は溝の間隔が波長の１０倍以上であれば小さいが、角分散を大きくしようとして溝の間隔を波長の数倍に縮小すると、この効果は重大となる。
【００２２】
アレイ導波路回折格子
アレイ導波路回折格子（ＡＷＧ）は、チャネル化を行う集積光受動型遅延線装置である。ＡＷＧは、従来の回折格子で得られるものより分解能、つまり波長の分割精密度を上げるために設計されている。ＡＷＧは１９９０年頃に日本のタカハシ他および米国のドラゴン他によって初めて提案された。ＡＷＧは、従来の光学における周知のマイケルソンのエシュロン格子と同じ導波構造を使って、回折素子間の光路の差を大きくする。ＡＷＧには、自由なスペクトル範囲が非常に小さく、チャネル総数が限られ、双方向に影響を与える終端付近のクロストークが大きいという本来的な欠点がある。１ＧＨｚの分解能を有するＡＷＧ装置は物理的に大きく、効果で、損失が極めて大きい。
【００２３】
ファイバブラッグ格子
ファイバ格子は、たとえばゲルマニウムをドープして感光性を持たせたシングルモードのファイバのコアにブラッグ格子を記録することによって構成する。この格子は、狭周波数帯フィルタとして使用できる。１つの波長チャネルに１個の格子が必要であるため、最終的なシステム全体がかさ張るため、その装置で分離できるチャネル数が限定される。ファイバ格子の主要な欠点は、ひとつの波長しか反映できないことである。したがって、ＮチャネルシステムにはＮ個のファイバ格子が必要となる。
【００２４】
（発明の開示）
本発明は、ひとつまたは複数の光入力の各々で独立して動作し、出力において空間的に分離された独立した光線を生成するための方法と装置を提供する。出力光線の空間的分離は、対応する入力光線の周波数成分の関数である。本発明により、何百もの個別の入力光線を、これを構成する周波数成分に同時にチャネル化することが可能となる。
【００２５】
（発明を実施するための最良の形態）
以下の詳細な説明は、現時点で実現できる本発明の最良の実施態様である。この説明は、限定的な意味に解釈するのではなく、本発明の一般的原理を説明するためのものにすぎない。本発明の範囲は、付属の特許請求範囲でもっともよく定義される。
【００２６】
図６，７は、本発明によるＯＴＤＬデバイスの好ましい実施形態を示す。図において、６つの平行入力光線１００ａ−１００ｆが透明プレート１１２に入る。光源は、たとえば、それぞれが一般に複数の波長チャネルを伝送する６本の光ファイバ（図示せず）の平行出力でよい。プレート１１２は、ほぼ全反射するコーティング１１６が備えられた第一表面１１４を有する。プレート１１２は、第一表面１１４から離れ、反対側にある第二表面１１８を有する。第二表面１１８は、部分反射するコーティング１２０を有する。
【００２７】
図の実施形態において、第二表面コーディング１２０の部分反射性は場所ごとに異なる。第二表面コーティング１２０の部分反射性はほぼ均一な別の実施形態（図示せず）もある。
【００２８】
図の実施形態において、反射表面コーティング１１６と１２０は、ガラスプレート１１２によって分離される。別の実施形態（図示せず）において、反射表面は、たとえば空間等、別の透明材料によって分離してもよい。素子１１２は、光学キャビティとも呼ばれる。
【００２９】
図７は、図６に示すデバイスの動作側面図である。図７の単独入力光線１００ｆは、図６の複数入力光線１００ａ−ｆのうちのひとつに描かれている入力光線１００ｆに対応する。図７が描かれている方向により、他の入力光線１００ａ−ｅは図示されていない。しかしながら、他の複数入力光線１００ａ−ｅは図７の入力光線１００ｆの背後にあり、デバイスは複数入力光線の全部を同時に処理、チャネル化することができると理解する。
【００３０】
図７において、入力光線１００ｆは、平行光線としてキャビティ１１２に入る。入力光線の合焦は不要である。並行入力光線はキャビティ１１２に入ると、その一部がキャビティから、第一の位置、つまり「タップ」１２２ａで平行出力光線１２４ａとして出る。平行入力光線の他の部分は、コーティング１２０によって部分反射され、その後、コーティング１１６によって全反射される。つまり、光線の一部がコーティング１２０を「バウンド」してコーディング１１６に入り、跳ね返る。この反射、つまり「バウンド」により、第一のタップ１２２ａから空間的に若干離れた第二の位置、つまりタップ１２２ｂで外に出る平行出力光線が生まれる。バンドの結果、出力光線１２４ｂが移動する距離は、出力光線１２４ａの移動距離より若干長くなる。反射表面１１６と１２０との間の光学キャビティ１１２の幅は、このようにして、隣接するタップ間のわずかな時間遅延を発生させる。反射プロセスが繰り返され、これによってさらに複数の平行出力光線１２４ａ−ｉが複数のタップ１２２ａ−ｉにおいてキャビティ１１２から出る。この結果、ｙ方向に分散し、光線ごとに累進的時間遅延のある一連の出力光線が得られる。
【００３１】
図７には示されていないが、入力光線１００ａ−ｆの各々について、ｙ方向に分散する同様の一連の出力光線が同時に発生する。つまり、このデバイスは、複数の平行入力光線の各々について、他の入力光線とは独立して動作することができる。したがって、このデバイスは、２つの異なる次元を使って信号処理機能を実行するという意味で、「二次元」デバイスということができる。第一の次元ｘに、第二の次元ｙに沿ってすべてが独立してチャネル化される複数の独立した平行入力光線が受け入れられる。
【００３２】
反射プロセスを通じて、さまざまな光線がほぼ平行のままである。光線の発散と光線間の干渉が小さくなる。大きな発散や干渉を発生させることなく、キャビティ１１２内の数多くの内部反射を実現できる。
【００３３】
図６に示す実施形態において、各種の出力光線がその後、光学キャビティ１１２から離れて設置されたアナモルフィック光学システム１４０，１４２に向けられる。図の実施形態におけるアナモルフィック光学システムは、シリンダーレンズ１４０と球面レンズ１４２を備える。アナモルフィック光学システム１４０，１４２は、１）垂直次元ｙにおけるキャビティ１１２の出力のフーリエ変換と、２）出力表面１４４への水平次元ｘにおけるキャビティ１１２の出力の結像を実行する。図６には示していないが、光学システム１４０，１４２は、ＯＴＤＬデバイスの個々の用途に応じて、上述のアナモルフィック以外の形態であってもよい。実行される機能は、たとえば、両次元でのフーリエ変換、ひとつまたは複数の次元での部分的フーリエ変換、あるいはこれらの機能の組み合わせである。
【００３４】
図６に示す出力表面１４４は、二次元である。出力表面１４４の水平次元ｘは、入力光線のインデックスに対応する。垂直次元ｙは、出力光線の中の光の波長に対応する。出力表面１４４には、さまざまなデバイスを設置できる。たとえば、検出器アレイ、レンズレットアレイ、ライトパイプアレイ、光ファイバ束、ＧＲＩＮレンズアレイあるいはこれらを組み合わせたものを出力表面１４４に設置できる。
【００３５】
図６のＯＴＤＬデバイスの実施形態の動作は、図１０を参照するとよくわかる。図１０は、図６に示すようなデバイスの機能的動作の例を示す略図である。図１０においてＤのボックスによって図式的に示される複数の遅延素子は、図６のキャビティ１１２において反射表面１１６，１２０との間で発生する複数のバウンドに対応する。遅延素子Ｄの各々が、光出力に時間遅延を少しずつ加える。各素子Ｄにおいて、遅延された光入力にはタップが付けられ、対応する光出力が得られる。
【００３６】
図１０において、光入力の周波数が、隣接する光出力間で２０ｎπのラジアン位相シフト（ｎは整数）を発生させるものであると、光出力のコヒーレント総和によって、光出力を含む線に垂直で、図１０のページ面の中にある方向に伝播する平面波が得られる。この方向をシステムの光学軸と定義する。
【００３７】
光入力の周波数がその後少し増加する（または減少する）と、光出力ごとに位相シフトが相応に変化する。この位相シフトの変化によって、光学軸に対して直角に伝播する平面波が得られる。
【００３８】
光入力の周波数がさらに増加する（または減少する）と、光出力間の位相シフトが２（ｎ＋１）πラジアンになるまで角度が増大する（または減少する）。この地点で、平面波は再び光学軸の方向に伝播する。
【００３９】
図１１は、図６に示す装置に対応するデバイスで、アナモルフィック光学システム１４０，１４２と出力表面１４４を有するものの機能的動作の例を示す略図である。光学システムは、光学軸に関して所与の角度で伝播する平面波を、出力表面の出力素子のひとつに焦点が合った光学スポットに変換するフーリエ変換を実行する。出力素子は、光検出器、光ファイバその他の光学素子とすることができる。
【００４０】
図１２は、複数の入力を有する、図６に示されるようなデバイスの機能的動作の例を示す略図である。図は、図１０の機能的ブロック図の入力を複数にしたものである。ここで、入力光源はダイオードで示されている。その他すべての機能ブロックは、図１０と同じである。図１２は、複数の光入力を同時に処理する能力を示している。
【００４１】
動作の数学的理論
以下のパラグラフは、ＯＴＤＬの数学的理論に関するものである。これは、限定的な意味ではなく、本発明の動作の基礎となる数学的理論に関する発明者の現在の理解を示すことを目的としている。
前提：ＯＴＤＬの動作の末学的理論は、図６，７に示す実施形態を参照しながら、特定の単純化のための（ただし現実的な）前提を立てると理解しやすい。以下がその前提である。
１）入力光線の直径は、出力光線１２４ａ−ｉの光線プロフィールがほぼ同じになるように十分大きい。
２）反射表面コーティング１１６と１２０のいずれかからの伝送または反射に位相シフトが伴わない。
３）反射表面コーティング１１６，１２０に損失がない。
４）第一反射表面１１６は全反射である。
５）表面コーティング１１６，１２０の透光度と反射率は、出力光線のプロフィールにかかわらず一定である。
【００４２】
これらの前提のいずれも、本発明の働きに不可欠ではない。しかし、これにより、動作の数学的理論を非常に単純化できる。これらの前提を緩和すると、数学的理論はより複雑となるが、動作の基本的原理は同じである。
【００４３】
定義：数学的理論において使用する数量、変数、関数は以下のように定義される。
ａは、入力信号の振幅のピークである。
ｘとｙは、それぞれ水平と垂直方向の連続する空間座標である。ｘは入力光線の間隔に正規化され、ｙは出力タップの間隔に正規化されている。したがって、ｘとｙの数値は、タップの中心で整数であり、これらの点において、ｘとｙはそれぞれ入力光線の数とタップの数と解釈される。
メートル単位で表される距離ｘは、メートルで表される入力光線の間隔のｘ倍を正規化したものである。
メートル単位で表される距離ｙは、メートルで表される出力光線の間隔のｙ倍を正規化したものである。
ｂ（ｘ，ｙ）は、入力光線の複素振幅プロフィールである。
ｂ（ｘ，ｙ）は分離可能、つまり、ｂ（ｘ，ｙ）＝ｂｘ（ｘ）ｂｙ（ｙ）である。
（この前提は必要条件ではないが、これによって計算が簡単になる。）
τは、隣接する出力光線、たとえば１２４ａと１２４ｂとの間の時間遅延である。
ｄは、隣接する出力光線、たとえば１２４ａと１２４ｂの間隔を長さ単位で示すものである。
ｍは、ｙ方向へのタップの総数である。
ｆ（ｘ）は、位置ｘにおける入力光線の光周波数成分である。
ｐ（ｘ，ｙ）は、プレート１１２の出力でのすべての出力光線１２４ａ−ｉの総和の光分散の包絡線である。
δは、ディラックのデルタ関数である。
＊は、繰込み動作を示す。
Ｆｙは、ｙ方向へのフーリエ変換演算子である。
ｔ（ｘ，ｙ）は、部分反射コーティング１２０の振幅透過係数である。
Ｔ（ｘ，ｙ）は、対応する出力透過率で、Ｔ（ｘ，ｙ）＝｜ｔ（ｘ，ｙ）｜２である。
ｒ（ｘ，ｙ）は、部分反射コーディング１２０の振幅反射係数である。
Ｒ（ｘ，ｙ）は、対応する出力透過率で、Ｒ（ｘ，ｙ）＝｜ｒ（ｘ，ｙ）｜２である。
（損失のないコーティング１２０とするために、エネルギー保護にはＴ（ｘ，ｙ）＋Ｒ（ｘ，ｙ）＝１とすることが必要となる。）
ｃ（ｘ，ｙ）は、位置（ｘ，ｙ）における出力光線の複素振幅である。ｃは、工学的タップを有する遅延線におけるタップの重量を示す。
【００４４】
理論的展開：ｙが整数となるタップ中心での出力光線は以下のように表現できる。
出力光線１２４ａ：ｃ（ｘ，０）＝ａｂ（ｘ，０）ｔ（ｘ，０）（定義５による）
出力光線１２４ｂ：ｃ（ｘ，１）＝ａｂ（ｘ，０）ｒ（ｘ，０）ｔ（ｘ，１）ｅｊ２πｆ（ｘ）τ
出力光線１２４ｃ：ｃ（ｘ，２）＝ａｂ（ｘ，０）ｒ（ｘ，０）ｒ（ｘ，１）ｔ（ｘ，２）ｅｊ２πｆ（ｘ）２τ等々。
【００４５】
一般に、ｎ個目のタップの中心での出力光線ｃ（ｘ，ｎ）は、次のように表される。
【数１】
2004502969.tif 000003
【００４６】
一般に、ｃ（ｘ，ｎ）の大きさはｎの関数、｜ｃ（ｘ，ｎ）｜＝ｗ（ｎ）である。ｗ（ｎ）の数値はタップの重量であり、一般に、この重量はシステムのチャネルフィルタの形状を制御するように選択される。タップ重量の計算の一例は、均一な重量、ｗ（ｎ）＝１である。タップ重量が均一である場合、｜ｃ（ｘ，０）｜＝｜ｃ（ｘ，１）｜＝｜ｃ（ｘ，ｎ）｜＝１である。
【００４７】
効率を上げるためには、光学的損失がないことが好ましい。つまり、最後のタップで、残りの光がすべてプレート１１２から透過されることを意味する。ｍを最後のタップとする。これにより、条件ｔ（ｘ，ｍ）＝１が得られる。
【００４８】
タップの重量が均一であると、すべてのｎについて条件｜ｃ（ｘ，ｎ）｜＝｜ｃ（ｘ，ｎ−１）｜が得られる。振幅透過および反射係数の点では、この条件は以下を意味する。
【数２】
2004502969.tif 000004
この式を、出力透過率の点で書き直すと、以下のようになる。
【数３】
2004502969.tif 000005
第一のタップＴ（０）から第二のタップＴ（１）での透過率を考えると、以下のようになる。
【数４】
2004502969.tif 000006
第三のタップでの透過率は以下のようになる。
【数５】
2004502969.tif 000007
帰納法により、ｎ番目のタップＴ（ｎ）での透過率は次のように表すことができる。
【数６】
2004502969.tif 000008
この等式から、第一のタップをＴ（０）としたタップ位置ｎでのコーティング１２０の出力透過率が得られる。
【００４９】
損失のないシステムではＴ（ｍ）＝１になることがわかる。上記の式にＴ（ｍ）＝１を入れ、Ｔ（０）を出すと、以下のようになる。
【数７】
2004502969.tif 000009
この式は、所望の遅延線タップ数に基づいてＴ（０）を設定する。前式により、他のＴ値のすべてがＴ（０）に基づいて得られる。コーティングの透過率は、タップ重量を均一とした場合について、完全に定義される。つまり、ｗ（ｎ）＝１である。
【００５０】
次に各出力タップの重量を変えると、プレート１１２の出力は、各光源が光線プロフィールｂ（ｘ，ｙ）によって成形される点光源のアレイとして書くことができる。コーティング１２０のすぐ右の平面でのプレート１１２の出力における複素振幅分布は、次式で表される。
【数８】
2004502969.tif 000010
ｙ方向へのフーリエ変換とｘ方向への結像の後の、システムの出力における複素振幅分布（図６の平面１４４）は、次式で表される。
【数９】
2004502969.tif 000011
ただし、ｘは入力光線の光線インデックス、ｙはタップインデックス、ｆｙは平面１４４（図６）の波長方向または周波数軸（図８）に対応する空間周波数座標である。ｆ（ｘ）に含まれる周波数成分各々について、タップごとに異なる位相シフトがある。ある周波数成分についてのあるｘでのタップがすべて同相であると、出力光線は光学軸に沿って伝播する。周波数が大きくなり、第一のタップからｍ番目のタップまで位相シフトがアパーチャについて１サイクルずつ（２πラジアン）大きくなると、平面１４４で合焦された出力スポットは、１分解能ごと、つまり１スポット幅ずつ移動する。つまり、最小周波数分解能は、デバイスの総時間遅延ｍτの逆数となる。
【数１０】
2004502969.tif 000012
隣接するタップの間の時間遅延はτであるため、合焦された出力スポットパターンは、次の周波数間隔で繰り返される。
【数１１】
2004502969.tif 000013
つまり、ｍ個のタップを有するデバイスの場合、最小周波数分解能はデバイスの総時間アパーチャの逆数に等しく、確実周波数範囲はタップ間時間遅延の逆数に等しい。したがって、このデバイスは、ｍ個の異なる出力、つまりｍ個の異なる波長チャネルを実現する。
【００５１】
所与の位置ｘでの周波数軸の平面１４４における光分布の例を図８に示す。６２，６３，６４におけるスペクトル線は３つの異なる波長チャネルを示し、これらの線は６５，６６，６７と６８，６９，７０において繰り返される。時間周波数としての反復６１の間隔は、先に定義したように、タップ間の時間遅延の逆数、１／τであり、空間周波数としての間隔は、タップ間の距離の逆数１／ｄに等しい。
【００５２】
完全な単独周波数入力（つまり、純粋に単独の波長）の場合のスペクトル線の形状は、出力光線の包絡線のフーリエ変換Ｆｙ｛ｐ（ｘ，ｙ）｝である。たとえば、均一な包絡線の場合、形状はｓｉｎ（ｘ）／ｘ関数となる。反対に、ある光線位置ｘにおけるチャネライザの出力（平面１４４）での光分布の包絡線は、たとえば図８の曲線７１でその一例が示されるｙ軸の光線プロフィールｂ（ｘ，ｙ）のｙ成分のフーリエ変換とｘ軸のｂ（ｘ，ｙ）のｘ成分の像、つまりｂ（ｘ）Ｆｙ｛ｂｙ（ｙ）｝である。
【００５３】
平面１４４に設置されたひとつの検出素子または光ファイバの周波数応答を図９に示す。一番上の図９Ａは、単独周波数入力に対応するｆｙ方向への検出面における合焦スポット７３の振幅プロフィールである。検出素子またはファイバピックアップの空間応答７４は図９Ｂに示される。得られる周波数応答７５は、７３と７４の繰込みであり、図９Ｃに示される。光スポット形状７３には、検出器の応答７４のエッジをなだらかにして、７３と７４の幅の合計とほぼ等しい幅を有するチャネルフィルタ形状を作る効果がある。
【００５４】
ＷＤＭ通信システムへのＯＴＤＬデバイスの応用
本発明によるＯＴＤＬデバイスは、ＷＤＭを利用した電気通信データ伝送に応用できる。本発明によるＯＴＤＬデバイスにより、従来のＤＷＤＭの各チャネルを多くのサブチャネルへとさらに細かくチャネル化することにより、ＨＷＤＭを可能にする。
【００５５】
周波数分解能：本明細書において、「分解能」とは、「チャネル間隔」と同じ意味を有する。あるチャネルの光伝送の変調信号帯域幅は、チャネル間隔より大きくなることはない。したがって、最大の変調信号帯域幅は、ほぼチャネル間隔と等しい。たとえば、より大きな変調帯域幅が望まれる場合、より大きなチャネル間隔が必要となる。ＯＴＤＬデバイスは、個々の通信システムデザインによって必要となる、事実上どのようなチャネル間隔にも設計できる。
【００５６】
「分解能」とは、図８の伝送波長６３，６４のように、隣接する伝送波長間のチャネル間隔を指す。チャネル間隔は、波長（つまり、メートル）あるいは時間周波数（つまり、１秒あたりのサイクルまたはＨｚ）の単位で表すことができる。
【００５７】
ＤＷＤＭ機器のチャネル間隔の実際上の下限は、約５０ＧＨｚである。これに対し、本発明によるＯＴＤＬデバイスでは、１ＧＨｚまたはそれ以下のオーダーのサブチャネル間隔が得られる。したがって、本発明によるＯＴＤＬデバイスでは、ファイバ１本あたり５０倍というオーダーでのチャネルが得られ、チャネルの増加により、ファイバの帯域幅利用は少なくとも１０倍となり、データ伝送容量が増大する。ＯＴＤＬデバイスの最小分解能は、１／ｍτとして計算できる。ただし、ｍは光学タップ出力の数、τはタップ間遅延時間である。本発明によるＯＴＤＬデバイスは、現在ＷＤＭに適用できるテクノロジーにおいて達成可能な分解能より、少なくとも２桁単位で細かい分解能を提供することができる。
【００５８】
たとえば、光学キャビティの厚さが１ｃｍで、反射表面間で１００回の「バウンド」が行われるよう設計されたＯＴＤＬデバイスの場合、総遅延長さは１メートルである。光がガラスの中を１メートル伝播するのにかかる時間は、約５ナノ秒である。この時間遅延は、約２００ＭＨｚの周波数分解能に対応する。同様に、５００回「バウンド」するように設計されたＯＴＤＬデバイスでは、約４０ＭＨｚの分解能が得られる。
【００５９】
本発明によるＯＴＤＬデバイスは、従来のＤＷＤＭチャネライザと組み合わせて使用し、各ＤＷＤＭチャネルを多くのＨＷＤＭチャネルにサブチャネル化することができる。このサブチャネル化により、ファイバ電気通信事業者は、より小さな単位で帯域幅を売り、敷設されたファイバ１本あたりの総収入を上げることができる。顧客は、特定のデータレートで伝送する権利を借りるのではなく、この光学レイヤの波長を借りられるであろう。たとえば、テレビ局は、スタジオからその発信機についてひとつの波長、ローカルケーブル会社までについて別の波長を確保し、電話ネットワーク上で使用していないデジタルビデオフォーマットによって両方の信号を送信することができるであろう。
【００６０】
本発明によるＯＴＤＬデバイスは、比較的高い周波数分解能を提供する。これにより、ＤＷＤＭシステムにおける既存の光伝送周波数間のスペクトル領域をもっと効率的に使用でき、その結果、ファイバ帯域幅利用、ひいては１本のファイバでのデータスループット容量が改善される。
【００６１】
ＯＴＤＬデバイスで高い分解能が得られることによって、高い帯域幅チャネルをより低い帯域幅の多くのチャネル（１ＧＨｚまたはそれ以下のオーダー）にさらに分割することが可能となる。これは、低帯域幅の光検出器と電子機器を使った低コストでの信号復調端子を実現する。
【００６２】
ＯＴＤＬデバイスの分解能が高くなると、ファイバ通信システムで使用できる独立した光波長キャリアの数が増える。４０または８０チャネルの代わりに、４，０００から４０，０００チャネル（波長）を得られるため、各ユーザは独自の独立した波長を持つことができる。ＯＴＤＬデバイスはしたがって、大規模な「１ユーザ１波長」の受動的光ネットワークを実現する。
【００６３】
分解能が高くなると、広帯域信号を平行した多くの狭帯域信号として送信することも可能になる。多くの平行なチャネルにより、ネットワーク管理システムは必要に応じて各種のＨＷＤＭチャネルをユーザに割り当てることにより、「オンデマンドの帯域幅」を提供できる。より多くの光キャリアを利用できることで、ネットワーク管理者は、より多くの平行チャネルを、大容量が必要となったユーザに割り当てることができる。
【００６４】
従来のＷＤＭシステムにおいて、ひとつの波長チャネルは、多様なトラフィックフォーマットタイプ（たとえば、イーサネット（登録商標）、ＡＴＭ，ＰＯＳ）を、すべてそのネイティブフォーマットで伝送する。ＯＴＤＬデバイスにより、チャネルを特定のタイプのフォーマットの専用とすることができるが、これは現在のファイバ通信システムアーキテクチャでは実現できない。
【００６５】
本発明によるＯＴＤＬデバイスは、数ナノ秒またはそれ以上のオーダーの、比較的大きな時間遅延を発生することができる。したがって、このようなＯＴＤＬデバイスは、比較的小さな周波数変化にも非常に感度が高い傾向がある。その結果、本発明によるデバイスは、１０ＧＨｚ以上と、きわめて高い分解能を実現するのに利用できる。
【００６６】
チャネルフィルタの形状：ＯＴＤＬデバイスのチャネルフィルタ形状は、比較的制御しやすい。この成形により、使用するファイバの利用可能帯域幅割合が増す。このように制御しやすいのは、プレート１１２への平行光線入力を利用したためである。コーティング１２０上の各タップでの光線は、コーティング上の小さな面積に絞られる。この面積は、各タップによって異なる。したがって、各出力光線は、振幅と位相で個々に重さづけできる。このように各タップを重さづけできることにより、デバイスの出力における光スポットの形状を精密に制御することが可能となる。つまり、フィルタの副ローブを正確に制御でき、チャネルをより緊密にパックできるため、伝送容量が増す。
【００６７】
光学スループット効率：ＯＴＤＬのような光システムの効率は、出力平面の検出可能な一箇所において最終的に合焦する、単独入力光線における単独波長チャネル内で光パワーのうちシステムに入力される部分と定義することができる。この定義を使った場合、たとえば、４０％の効率といえば、当初の入力光パワーの４０％がひとつのスポットに合焦し、残りの６０％は、より高いオーダーで反復されるスポットの中に現れるか、あるいは光学コンポーネントの不完全さによって拡散されるために喪失または衰弱する。効率は、ある周波数の入力と出力の光のパワーを測定し、その比を計算するだけで測定できる。本発明において、４０％以上のオーダーの効率、また場合によっては７０％以上のオーダーでの効率が、１０ＧＨｚまたはそれ以上の周波数分解能で実現できる。
【００６８】
ＶＩＰＡ型デバイスとの比較：本発明によるＯＴＤＬデバイスには、当業界で知られているその他のデバイスと比較して、多数の利点がある。たとえば、本発明によるＯＴＤＬデバイスは、ＶＩＰＡ型デバイスにおいて必要となるような、集束入力光線の使用が不要となる。ＶＩＰＡ型デバイスにおけるこのような集束光線は、厚い光学キャビティ（つまり、数ミリメートルまたはそれ以上のオーダーの厚さ）の中を伝播する際、焦点以後に急速に発散し、デバイスのエッジによって素早く打ち切られる。ＶＩＰＡ型デバイスの集束入力光線の急速な発散により、個々の虚像の振幅の制御、つまり、重みづけの制御も困難となる。本発明において比較的大きな直径の平行入力光線を使うことで、比較的厚いキャビティを使用することが可能となる。高い周波数分解能を得るために、プレート１１２内に比較的長い総遅延時間を発生させるためには、厚いキャビティが必要である。
【００６９】
二次元性：本発明によるＯＴＤＬデバイスは、二次元である。２つの空間次元の一方は、複数の平行入力を可能とする。したがって、本発明による単独のＯＴＤＬデバイスは、何百もの独立した入力を同時に操作することができる。
【００７０】
この二次元性を利用した本発明の別の実施形態において、第一のＯＴＤＬデバイスと第二のＯＴＤＬデバイスをｚ軸方向、つまり光学軸に沿って縦続させ、第一のＯＴＤＬデバイスの出力を第二のＯＴＤＬデバイスの入力とすることができる。さらに、第二のＯＴＤＬデバイスは、第一のＯＴＤＬデバイスに関してｚ軸を中心に９０度回転させ、「交差」と呼ばれる実施形態とすることも可能である。
【００７１】
このような交差型実施形態において、第一のＯＴＤＬデバイスは、粗い、低分解能のチャネル化を行う。交差型実施形態は、たとえば、それぞれ５０から１００チャネルを伝送する何十本かのファイバではなく、１本のファイバでファイバ何百または時には数千の伝送波長、つまりチャネルを伝えるような通信システムに使用できる。交差型ＯＴＤＬデバイスは、この１本のチャネルから発せられるすべての波長をチャネル化でき、波長は出力平面で空間的に分離される。１対の交差型ＯＴＤＬデバイスは、ファイバの全帯域幅を高い分解能（つまり、１００ＧＨｚまたはそれ以下）にチャネル化できる。
【００７２】
可逆性：本発明によるＯＴＤＬデバイスは可逆的である。つまり、本発明によるＯＴＤＬを使い、異なる周波数（伝送波長）の多数の入力をひとつの出力に多重化することができる。デバイスの出力平面１４４における適当な位置で光の適当な複数の周波数を入力することにより、逆の動作が可能となる。これらの入力光源からの光は、図６に示すシステムの中を反対に伝播し、プレート１１２で結合し、最終的にはデバイスの共通入力ポートに現れる。
【００７３】
たとえば図６，７に示すＯＴＤＬデバイスにおいて、適当な周波数で平面１４４の適当な位置において入力される発散光源が効率的に結合され、適当な光線１１０ａ−ｆとなる。プレート１１２の表面１１８上の適当な周波数と適当な入射角を持つ光学システムによって得られる平面波（入射発散光線の結果）は、光学入力ポートでの出力を発生させる。入射平面波の結果、各出力タップからの貢献が同相で、増幅的に増加するものとなる。
【００７４】
本発明によるＯＴＤＬデバイスは、したがって、それぞれ複数の多重波長チャネルを結合または分離する、マルチプレクサとデマルチプレクサとして機能することができる。デバイスで平行光線を使用し、遅延線の各光学タップの重量を制御することにより、順方向、逆方向の両方の動作モード、つまり、それぞれデマルチプレクサとマルチプレクサモードにおいて、比較的効率のよいデバイスとなる。
【００７５】
光信号処理へのＯＴＤＬデバイスの応用
本発明によるＯＴＤＬデバイスは、光信号処理においてブラッグセルの代わりに使用できる。
【００７６】
ブラッグセル（音響光学セル、つまりＡＯセルとも呼ばれる）は、多くの光学プロセッサにおいて電気信号を光フォーマットに変換するのに使用される。たとえば、ＳＷＡＳ（短波長天体分光器）宇宙機に搭載された「チャネライザ」はブラッグセルを利用している。ブラッグセルは、透明材のブロックに結合された電気音響トランスデューサを有する。電気信号がトランスデューサに印加され、トランスデューサが振動する。振動は結合され、移動する音波として透明ブロックに入る。音波はブロック内の一連の圧縮波と疎密波で構成され、これがブロックの屈折率を空間的に変調する。ブロックに光を照射すると、屈折率変調によって光が拡散する。たとえば、音波が正弦波であると、屈折率変調は正弦波となり、回折格子の役割を果たす。電気信号の周波数が高いほど、回折格子の空間周波数は高く、光が拡散する（回折する）角度は大きくなる。この回折プロセスにより、電気信号は光平面波の角度スペクトルに分解される。角度スペクトルは平面に合焦され、電気信号のスペクトル解析を行う。
【００７７】
ブラッグセルでは、音響減衰とトランスデューサ製造テクノロジーによって周波数帯域幅が約２ＧＨｚに制限される。また、多くの場合、利用可能な屈折率を１０％以下に限定してしまう非線形効果もある。この効果は、デイヴィッド・ヘクトによって定量化され、ヘクトリミットと呼ばれる。ヘクトリミットは、ブラッグセル内の相互変調積の結果として得られる。
【００７８】
これに対し、本発明によるＯＴＤＬデバイスは、音響減衰が起こらない。したがって、本発明によるＯＴＤＬデバイスでは、はるかに広い周波数帯域幅が得られる。たとえば、本発明によるＯＴＤＬデバイスの帯域幅は、ブラッグセルにおいて一般的な２ＧＨｚに対し、２００ＧＨｚを上回ることも可能である。
【００７９】
本発明によるＯＴＤＬデバイスは、ブラッグセルと比較して約１００分の１と、比較的小さなアパーチャ時間、つまり、総遅延時間ｍτを提供する。これにより、ビーム偏向装置において、より迅速にランダム角光線ポジショニングを行うことが可能となる。
【００８０】
本発明によるＯＴＤＬデバイスには、ブラッグセルの非線形干渉の原因となるヘクトリミットがない。本発明によるＯＴＤＬデバイスは屈折変調の容積インデックスを使用しないため、ヘクトリミットにより、光学スループット効率が制限されることがない。高い光学効率を、相互変調積を発生させずに実現できる。本発明によるＯＴＤＬデバイスは、理論的には１００％の効率を得ることができる。
【００８１】
複数の入力を有するブラッグセルは、入力間の電磁および音響干渉のために、高い信頼性をもって製造することが非常に困難である。これに対し、複数の入力を持つＯＴＤＬの各入力は基本的に、適正に平行化、配向された光線による光入力がひとつだけ追加することを必要とする。プレート１１２が構成される光学材料の均質性と明瞭度も、クロストークを減少させるために望ましい。
【００８２】
（産業上の利用可能性）
本発明によるＯＴＤＬデバイスは、信号の広帯域スペクトル解析、信号の相関、光線スキャニングにおいて有利に利用できる。ＯＴＤＬデバイスは特に、干渉計クロスパワースペクトルアナライザ、放射計バンク（ラジオメータバンク： ｒａｄｉｏｍｅｔｅｒ ｂａｎｋ）、電子戦レシーバに適している。
【図面の簡単な説明】
本発明のいくつかの好ましい実施形態は、添付の図面を参照しながら詳細に説明される。
【図１】従来のファブリペロー干渉計の動作の例を示す図である。
【図２】従来のルムマーゲルケ干渉計の動作の例を示す図である。
【図３】従来のＶＩＰＡシステムの例を示す図である。
【図４】従来のＶＩＰＡデバイスの動作の例を示す図であり、後退しながらできる集束線状光源の像とデバイス内の干渉を示す。
【図５】従来のＶＩＰＡデバイス内の光線の広がりの例と出力チャネルフィルタを形成するための各光線の重みづけの問題を示す図である。
【図６】本発明による光学タップ付き遅延線（ＯＴＤＬ）の例を示す図である。
【図７】本発明によるＯＴＤＬデバイスの動作側面図の一例を示す図である。
【図８】本発明によるＯＴＤＬデバイスに関する、単独入力光線に対応する周波数方向（つまり、図６の波長方向）に沿った光出力分布の例を示す図である。
【図９Ａ】本発明によるＯＴＤＬデバイスのチャネルの光周波数応答の例を示す図である。
【図９Ｂ】本発明によるＯＴＤＬデバイスのチャネルの光周波数応答の例を示す図である。
【図９Ｃ】本発明によるＯＴＤＬデバイスのチャネルの光周波数応答の例を示す図である。
【図１０】単独入力による図６に示すデバイスの機能的動作の例を示す略図である。
【図１１】単独入力による図６に示すデバイスの機能的動作の例を示す略図であり、出射面に光学システムと出力素子を有している。
【図１２】複数入力による図６に示すデバイスの機能的動作の例を示す略図である。
【図１】
2004502969.tif 000014
【図２】
2004502969.tif 000015
【図３】
2004502969.tif 000016
【図４】
2004502969.tif 000017
【図５】
2004502969.tif 000018
【図６】
2004502969.tif 000019
【図７】
2004502969.tif 000020
【図８】
2004502969.tif 000021
【図９Ａ】
2004502969.tif 000022
【図９Ｂ】
2004502969.tif 000023
【図９Ｃ】
2004502969.tif 000024
【図１０】
2004502969.tif 000025
【図１１】
2004502969.tif 000026
【図１２】
2004502969.tif 000027
【国際公開パンフレット】
2004502969.tif 000028
2004502969.tif 000029
2004502969.tif 000030
2004502969.tif 000031
2004502969.tif 000032
2004502969.tif 000033
2004502969.tif 000034
2004502969.tif 000035
2004502969.tif 000036
2004502969.tif 000037
2004502969.tif 000038
2004502969.tif 000039
2004502969.tif 000040
2004502969.tif 000041
2004502969.tif 000042
2004502969.tif 000043
2004502969.tif 000044
2004502969.tif 000045
2004502969.tif 000046
2004502969.tif 000047
2004502969.tif 000048
2004502969.tif 000049
2004502969.tif 000050
2004502969.tif 000051
2004502969.tif 000052
2004502969.tif 000053
2004502969.tif 000054
2004502969.tif 000055
2004502969.tif 000056
2004502969.tif 000057
2004502969.tif 000058
2004502969.tif 000059
2004502969.tif 000060
2004502969.tif 000061
2004502969.tif 000062
2004502969.tif 000063
2004502969.tif 000064
【国際公開パンフレット（コレクトバージョン）】
2004502969.tif 000065
2004502969.tif 000066
2004502969.tif 000067
2004502969.tif 000068
2004502969.tif 000069
2004502969.tif 000070
2004502969.tif 000071
2004502969.tif 000072
2004502969.tif 000073
2004502969.tif 000074
2004502969.tif 000075
2004502969.tif 000076
2004502969.tif 000077
2004502969.tif 000078
2004502969.tif 000079
2004502969.tif 000080
2004502969.tif 000081
2004502969.tif 000082
2004502969.tif 000083
2004502969.tif 000084
2004502969.tif 000085
2004502969.tif 000086
2004502969.tif 000087
2004502969.tif 000088
2004502969.tif 000089
2004502969.tif 000090
2004502969.tif 000091
2004502969.tif 000092
2004502969.tif 000093
2004502969.tif 000094
2004502969.tif 000095
2004502969.tif 000096
2004502969.tif 000097
2004502969.tif 000098
2004502969.tif 000099
2004502969.tif 000100
2004502969.tif 000101
【国際公開パンフレット（コレクトバージョン）】
2004502969.tif 000102
2004502969.tif 000103
【国際調査報告】
2004502969.tif 000104
2004502969.tif 000105
2004502969.tif 000106